(57)【要約】      （修正有）【課題】物品を安定的に保持することができる支持部材を提供する。【解決手段】包装箱中で円筒状の胴部を有する複数の物品を支持する支持部材１であって、１枚のシートからなり、外側支持パネル２と、外側支持パネル２に連接され、この外側支持パネル２に折り重ねられ、使用時に物品側に配置される内側支持パネル３とを備え、内側支持パネル３が、並列に設けられ、物品が嵌合する複数の長方形状の第１開口３ａを有し、外側支持パネル２が、内側支持パネル３の折り重ね状態で複数の第１開口３ａと重なり合う部分に物品が嵌合する第１開口３ａよりも幅狭な長方形状の複数の第２開口２ａを有する。内側支持パネル３の折り重ね状態における第１開口３ａの幅方向一方側の内側端縁及び第２開口２ａの幅方向一方側の内側端縁を含む仮想平面の傾斜角度としては３０°以上５０°以下が好ましい。【選択図】図１
0003210948.tif 000002
【実用新案登録請求の範囲】
【請求項１】
包装箱中で円筒状の胴部を有する複数の物品を支持する支持部材であって、
１枚のシートからなり、
外側支持パネルと、
上記外側支持パネルに連接され、この外側支持パネルに折り重ねられ、使用時に上記物品側に配置される内側支持パネルと
を備え、
上記内側支持パネルが、並列に設けられ、上記物品が嵌合する複数の長方形状の第１開口を有し、
上記外側支持パネルが、上記内側支持パネルの折り重ね状態で上記複数の第１開口と重なり合う部分に上記物品が嵌合する上記第１開口よりも幅狭な長方形状の複数の第２開口を有する支持部材。
【請求項２】
上記内側支持パネルの折り重ね状態における上記第１開口の幅方向一方側の内側端縁及び第２開口の幅方向一方側の内側端縁を含む仮想平面の傾斜角度が３０°以上５０°以下である請求項１に記載の支持部材。
【請求項３】
上記第２開口の開口幅に対するシート厚さの比が０．２５以上０．４５以下である請求項１又は請求項２に記載の支持部材。
【請求項４】
包装箱に組み立て可能な箱用シートと、
折り重ね状態で上記包装箱に収容される請求項１、請求項２又は請求項３に記載の複数対の支持部材と
を備える包装資材。
【請求項５】
請求項１、請求項２又は請求項３に記載の複数対の支持部材と、
円筒状の胴部を有し、折り重ね状態の上記支持部材に上下方向から支持される複数の物品と、
上記複数の物品を上下方向から支持した複数対の支持部材を収容する包装箱と
を備える包装体。
【考案の詳細な説明】
【技術分野】
【０００１】
本考案は、支持部材、包装資材及び包装体に関する。
【背景技術】
【０００２】
段ボールシートを組み立ててなる包装箱が物品の保管用、運搬用等として広く用いられている。また、物品の形状等によっては、包装箱内に物品を安定的に保持できない場合があるため、包装箱と共に、この包装箱の内部で物品を安定的に支持するための支持部材が用いられることもある。このような支持部材を備える梱包具として、例えば「物品運送用梱包具」（特開２０１６−８８５２６号公報参照）が発案されている。
【０００３】
この公報に記載の梱包具は、円筒状の物品を安定的に支持するためのトレーを有する。このトレーは、板面に物品の胴部の一部を受け入れるためのスリットを有している。このトレーは、物品の胴部の一部をスリットの開口縁に引っ掛けることで、物品を定位置保持することができるとされている。
【先行技術文献】
【特許文献】
【０００４】
【特許文献１】特開２０１６−８８５２６号公報
【考案の概要】
【考案が解決しようとする課題】
【０００５】
しかしながら、上記公報に記載のトレーは、１枚の段ボールシートにスリットを形成し、このスリットに物品の胴部の一部を嵌合するものであるため、トレーの底面側から物品の周面が突出するおそれが高い。そのため、このトレーは、上記突出側から物品に加わる外部からの衝撃を緩衝し難い。また、このトレーは、胴部の周面がトレー内に収まるように物品の胴部の一部を嵌合した場合、上記トレーの天面を基準とする物品の深さが段ボールシート１枚の厚さ未満となるため、物品がスリットから脱落しやすい。
【０００６】
本考案は、このような不都合に鑑みてなされたものであり、物品を安定的に保持することができる支持部材、包装資材及び包装体の提供を課題とするものである。
【課題を解決するための手段】
【０００７】
上記課題を解決するためになされた本考案に係る支持部材は、包装箱中で円筒状の胴部を有する複数の物品を支持する支持部材であって、１枚のシートからなり、外側支持パネルと、上記外側支持パネルに連接され、この外側支持パネルに折り重ねられ、使用時に上記物品側に配置される内側支持パネルとを備え、上記内側支持パネルが、並列に設けられ、上記物品が嵌合する複数の長方形状の第１開口を有し、上記外側支持パネルが、上記内側支持パネルの折り重ね状態で上記複数の第１開口と重なり合う部分に上記物品が嵌合する上記第１開口よりも幅狭な長方形状の複数の第２開口を有する。
【０００８】
当該支持部材は、外側支持パネルに内側支持パネルを折り重ねた状態で、この内側支持パネル側から物品を支持可能に構成されている。当該支持部材は、上記内側支持パネルが、並列に設けられ、上記物品が嵌合する複数の長方形状の第１開口を有しているので、この第１開口内に物品を保持することができる。さらに、当該支持部材は、上記外側支持パネルが、上記第１開口と重なり合う部分に上記物品が嵌合する上記第１開口よりも幅狭な長方形状の第２開口を有しており、上記物品を上記内側支持パネル及び外側支持パネルの２枚のパネルによって支持することができる。そのため、当該支持部材によると、上記物品の周面が外側支持パネルの外側に突出するおそれが低い。また、当該支持部材は、上記物品を上記第１開口及び第２開口に嵌合させた状態で保持するので、上記内側支持パネルの内面を基準とする物品の当該支持部材側への深さを十分に確保することができ、物品が第１開口及び第２開口から脱落するおそれが低い。そのため、当該支持部材は、物品を安定的に保持することができる。
【０００９】
上記内側支持パネルの折り重ね状態における上記第１開口の幅方向一方側の内側端縁及び第２開口の幅方向一方側の内側端縁を含む仮想平面の傾斜角度としては、３０°以上５０°以下が好ましい。このように、上記内側支持パネルの折り重ね状態における上記第１開口の幅方向一方側の内側端縁及び第２開口の幅方向一方側の内側端縁を含む仮想平面の傾斜角度が上記範囲内であることによって、物品の周面が外側支持パネルの外側に突出することを防止しつつ、この物品を十分な深さで上記第１開口及び第２開口に嵌合することができる。従って、物品をより安定的に保持することができる。
【００１０】
上記第２開口の開口幅に対するシート厚さの比としては、０．２５以上０．４５以下が好ましい。このように、上記第２開口の開口幅に対するシート厚さの比が上記範囲内であることによって、上記第１開口及び第２開口内に物品を的確に保持しつつ、上記外側支持部材の外側からの衝撃に対する緩衝機能を十分に高めることができる。
【００１１】
また、本考案に係る包装資材は、包装箱に組み立て可能な箱用シートと、折り重ね状態で上記包装箱に収容される複数対の当該支持部材とを備える。
【００１２】
当該包装資材は、包装箱に収容される複数対の当該支持部材を備えるので、各対の支持部材によって物品を上下から保護することができる。そのため、当該包装資材は、物品を安定的に保持することができる。
【００１３】
また、本考案に係る包装体は、複数対の当該支持部材と、円筒状の胴部を有し、折り重ね状態の当該支持部材に上下方向から支持される複数の物品と、上記複数の物品を上下方向から支持した複数対の当該支持部材を収容する包装箱とを備える。
【００１４】
当該包装体は、複数の物品を各対の当該支持部材によって上下方向から支持することができるので、物品を安定的に保持することができる。
【００１５】
なお、本考案において、「内側」とは使用状態で物品が配置される側をいい、「外側」とはその反対側をいう。開口の「内側端縁」とは、開口のシートの厚さ方向における物品側の端縁をいう。「上」及び「下」とは、包装体に組み立てられた状態で想定される一般的な使用態様における上下を意味するが、包装体組み立て前の向きを制限することを企図するものではない。
【考案の効果】
【００１６】
以上説明したように、本考案に係る支持部材、包装資材及び包装体は、物品を安定的に保持することができる。
【図面の簡単な説明】
【００１７】
【図１】本考案の一実施形態に係る支持部材を示す模式的平面図である。
【図２】図１の支持部材の折り重ね状態を示す模式的平面図である。
【図３】図２の支持部材が物品を支持した状態を示す模式的断面図である。
【図４】本考案の一実施形態に係る箱用シートを示す模式的平面図である。
【図５】本考案の一実施形態に係る支持パッドを示す模式的平面図である。
【図６】図１の支持部材、図４の箱用シート及び図５の支持パッドを用いた包装体を示す模式的断面図である。
【図７】図６の包装体の一対の図２の支持部材によって複数の物品を上下方向から支持した状態を示す模式的側面図である。
【考案を実施するための形態】
【００１８】
以下、適宜図面を参照しつつ、本考案の実施の形態を詳説する。
【００１９】
［第一実施形態］
＜支持部材＞
図１の支持部材１は、包装箱中で円筒状の胴部を有する複数の物品を支持する。上記物品としては、特に限定されるものではないが、例えばエアバッグ用のシリンダ型インフレーターが挙げられる。当該支持部材１は、１枚のシートからなる。当該支持部材１は、外側支持パネル２と、外側支持パネル２に連接され、外側支持パネル２に折り重ねられ、使用時に上記物品側に配置される内側支持パネル３とを備える。外側支持パネル２及び内側支持パネル３は略同形の矩形状に形成されており、長辺同士が一対の連接部４によって連接されている。当該支持部材１は、一対の連接部４で内側支持パネル３を外側支持パネル２の内側に折り重ねた状態で上記複数の物品を支持する。外側支持パネル２及び内側支持パネル３のサイズとしては、包装箱内でのぐらつきを容易かつ確実に防止する観点から、包装箱の複数の側面パネル内面によって画定される内部空間の平面形状と略同形状とされることが好ましい。なお、図１において、太い実線は当該支持部材１を切断して形成されるエッジを示し、細い実線は当該支持部材１の表面に筋押しして形成される罫線を示す。
【００２０】
当該支持部材１に用いられるシートとしては、上記複数の物品を支持できる程度の強度及び適度な反発力を有している限り特に限定されるものではなく、例えば段ボールシート、ボール紙等の紙製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。当該支持部材１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該支持部材１に用いられるシートの平均厚さとしては、上記物品の胴部の径に基づいて適宜設定可能であり、例えば３ｍｍ以上８ｍｍ以下とすることができ、上記シートが両面段ボールシートである場合、このシートの平均厚さとしては、例えば５ｍｍとすることができる。
【００２１】
内側支持パネル３は、並列に設けられ、上記物品が嵌合する複数の長方形状の第１開口３ａを有する。複数の第１開口３ａは、長手方向が外側支持パネル２及び内側支持パネル３の連接方向と平行になるよう、短手方向に並列に配設されている。
【００２２】
図２に示すように、外側支持パネル２は、内側支持パネル３の折り重ね状態で複数の第１開口３ａと重なり合う部分に上記物品が嵌合する第１開口３ａよりも幅狭な長方形状の複数の第２開口２ａを有する。複数の第２開口２ａの長手方向長さは複数の第１開口３ａの長手方向長さと等しく、内側支持パネル３の折り重ね状態において複数の第２開口２ａの一対の短辺は複数の第１開口３ａの一対の短辺と重なり合っている。また、内側支持パネル３の折り重ね状態において複数の第２開口２ａの中心軸は複数の第１開口３ａの中心軸と平面視で一致している。
【００２３】
図３に示すように、内側支持パネル２の折り重ね状態における第１開口３ａの幅方向一方側の内側端縁Ｐ及び第２開口２ａの幅方向一方側（第１開口３ａの内側端縁Ｐとシートッ面方向における同一方向側）の内側端縁Ｑを含む仮想平面Ｘのシート面方向に対する傾斜角度αの下限としては、３０°が好ましく、３５°がより好ましい。一方、上記傾斜角度αの上限としては、５０°が好ましく、４５°がより好ましい。上記傾斜角度αが上記下限に満たないと、内側支持パネル３の内面を基準とする物品１０の嵌合深さが不十分となり、物品１０が第１開口３ａ及び第２開口２ａから脱落するおそれがある。逆に、上記傾斜角度αが上記上限を超えると、物品１０の周面が外側支持パネル２の外面と近接し過ぎたり、外側支持パネル２の外面の外側に突出することで、外側支持パネル２の外面側から衝撃が加わった際に物品１０を十分に保護することができないおそれがある。
【００２４】
第１開口３ａ及び第２開口２ａの長手方向長は、物品１０の胴部の長手方向長さと略等しい。このように、第１開口３ａ及び第２開口２ａの長手方向長さが物品１０の胴部の長手方向長さと略等しいことによって、第１開口３ａ及び第２開口２ａに嵌合した状態での物品１０の長手方向のずれを防止することができる。これにより、物品１０を第１開口３ａ及び第２開口２ａ内に安定的に保持することができる。第１開口３ａ及び第２開口２ａの長手方向長さとしては、物品１０の胴部の長手方向長さに基づいて適宜設定可能であるが、例えば１０ｃｍ以上２０ｃｍ以下とすることができる。
【００２５】
第１開口３ａの幅は、物品１０の径に対応して適宜設定可能である。第１開口３ａ及び第２開口２ａに嵌合した状態で物品１０を安定的に保持する観点から、物品１０の胴部の径に対する第１開口３ａの幅の比の下限としては、０．６５が好ましく、０．７０がより好ましい。一方、上記比の上限としては、０．８５が好ましく、０．８０がより好ましい。上記比が上記下限に満たないと、内側支持パネル３の内面を基準とする物品１０の嵌合深さが不十分となり、物品１０を第２開口２ａに嵌合することができないおそれがある。逆に、上記比が上記上限を超えると、物品１０の周面が外側支持パネル２の外面と近接し過ぎたり、外側支持パネル２の外面の外側に突出することで、外側支持パネル２の外面側から衝撃が加わった際に物品１０を十分に保護することができないおそれがある。
【００２６】
第１開口３ａの幅の下限としては、例えば２０ｍｍが好ましく、２５ｍｍがより好ましい。一方、第１開口３ａの幅の上限としては、例えば４０ｍｍが好ましく、３５ｍｍがより好ましい。当該支持部材１のシートの平均厚さは例えば３ｍｍ以上８ｍｍ以下程度とすることができる。この点、第１開口３ａの幅が上記下限に満たないと、内側支持パネル３の内面を基準とする物品１０の嵌合深さが不十分となり、物品１０を第２開口２ａに嵌合することができないおそれがある。逆に、第１開口３ａの幅が上記上限を超えると、物品１０の周面が外側支持パネル２の外面と近接し過ぎたり、外側支持パネル２の外面の外側に突出するおそれや、物品１０の胴部の径に対する第１開口３ａの幅の比が小さくなり過ぎて、物品１０を第１開口３ａ及び第２開口２ａ内に安定的に保持することができないおそれがある。
【００２７】
第１開口３ａの幅に対する第２開口２ａの幅の比の下限としては、０．５０が好ましく、０．６０がより好ましい。一方、上記比の上限としては、０．７０が好ましく、０．６５がより好ましい。上記比が上記下限に満たないと、内側支持パネル３の内面を基準とする物品１０の嵌合深さが不十分となり、物品１０を第１開口３ａ及び第２開口２ａ内に安定的に保持することができないおそれがある。逆に、上記比が上記上限を超えると、物品１０の周面が外側支持パネル２の外面と近接し過ぎたり、外側支持パネル２の外面の外側に突出することで、外側支持パネル２の外面側から衝撃が加わった際に物品１０を十分に保護することができないおそれがある。
【００２８】
第２開口２ａの開口幅に対するシート厚さの比の下限としては、０．２５が好ましく、０．３０がより好ましい。一方、上記比の上限としては、０．４５が好ましく、０．４０がより好ましい。上記比が上記下限に満たないと、物品１０の周面が外側支持パネル２の外面と近接し過ぎたり、外側支持パネル２の外面の外側に突出することで、外側支持パネル２の外面側から衝撃が加わった際に物品１０を十分に保護することができないおそれがある。逆に、上記比が上記上限を超えると、内側支持パネル３の内面を基準とする物品１０の嵌合深さが不十分となり、物品１０を第１開口３ａ及び第２開口２ａ内に安定的に保持することができないおそれがある。
【００２９】
＜利点＞
当該支持部材１は、外側支持パネル２に内側支持パネル３を折り重ねた状態で、この内側支持パネル３側から物品１０を支持可能に構成されている。当該支持部材１は、内側支持パネル３が、並列に設けられ、物品１０が嵌合する複数の長方形状の第１開口３ａを有しているので、この第１開口３ａ内に物品１０を保持することができる。さらに、当該支持部材１は、外側支持パネル２が、第１開口３ａと重なり合う部分に物品１０が嵌合する第１開口３ａよりも幅狭な長方形状の第２開口２ａを有しており、物品１０を内側支持パネル３及び外側支持パネル２の２枚のパネルによって支持することができる。そのため、当該支持部材１によると、物品１０の周面が外側支持パネル２の外側に突出するおそれが低い。また、当該支持部材１は、物品１０を第１開口３ａ及び第２開口２ａに嵌合させた状態で保持するので、内側支持パネル３の内面を基準とする物品１０の当該支持部材１側への深さを十分に確保することができ、物品１０が第１開口３ａ及び第２開口２ａから脱落するおそれが低い。そのため、当該支持部材１は、物品１０を安定的に保持することができる。
【００３０】
＜包装資材＞
次に、図１の支持部材１を有する本考案の一実施形態に係る包装資材について説明する。当該包装資材は、包装箱に組み立て可能な図４の箱用シート１１と、折り重ね状態で上記包装箱に収容される複数対の当該支持部材１とを備える。また、当該包装資材は、上記包装箱の蓋部及び底部の内面に配設される一対の図５の支持パッド３１を備える。
【００３１】
（箱用シート）
箱用シート１１は、１枚のシートからなる。箱用シート１１は、組立時に四角筒状部を構成し、組立状態でそれぞれ対向し合う一対の長さ面パネル（第１長さ面パネル１２及び第２長さ面パネル１３）並びに一対の幅面パネル（第１幅面パネル１４及び第２幅面パネル１５）と、一対の長さ面パネル１２，１３の上縁から延出する一対の上側外フラップ１６，１７と、一対の幅面パネル１４，１５の上縁から延出する一対の上側内フラップ１８，１９とを備える。また、箱用シート１１は、一対の長さ面パネル１２，１３の下縁から延出する一対の下側外フラップ２０，２１と、一対の幅面パネル１４，１５の下縁から延出する一対の下側内フラップ２２，２３と、第１長さ面パネル１２の第１幅面パネル１４との連接側と反対側の端縁から延出する糊代部２４を備える。箱用シート１１に用いられるシートとしては、当該支持部材１に用いられるシートと同様のものが挙げられる。
【００３２】
箱用シート１１を包装箱に組み立てる手順としては、まず第１長さ面パネル１２を第１幅面パネル１４の内面に折り重ね、続いて第２幅面パネル１５を第２長さ面パネル１３の内面に折り重ね、糊代部２４を第２幅面パネル１５の内面に貼着することで第１長さ面パネル１２、第１幅面パネル１４、第２長さ面パネル１３及び第２幅面パネル１５を無端状に接続する。次に、第１長さ面パネル１２及び第２長さ面パネル１３が対向し、かつ第１幅面パネル１４及び第２幅面パネル１５が対向するように広げることで四角筒状部を形成する。続いて、一対の下側内フラップ２２，２３を内側に折り曲げたうえ、一対の下側外フラップ２０，２１を内側に折り曲げて先端同士を突き合わせ、この突合せ部の外面に封函テープを貼着すること等によって底部を形成する。さらに、一対の上側内フラップ１８，１９を内側に折り曲げたうえ、一対の上側外フラップ１６，１７を内側に折り曲げて先端同士を突き合わせ、この突合せ部の外面に封函テープを貼着すること等によって蓋部を形成する。これにより、包装箱が組み立てられる。
【００３３】
一対の支持パッド３１は、それぞれ１枚のシートから形成される。一対の支持パッド３１は、平面視略矩形状に形成されており、具体的には箱用シート１１を組み立ててなる包装箱の一対の長さ面パネル１２，１３及び一対の幅面パネル１４，１５の内面によって画定される内部空間の平面形状と略同形状に形成されている。一対の支持パッド３１に用いられるシートとしては、当該支持部材１に用いられるシートと同様のものが挙げられる。
【００３４】
続いて、図６及び図７を参照して、当該包装資材を用いた包装体５１について説明する。当該包装体５１は、複数対の当該支持部材１と、円筒状の胴部を有し、折り重ね状態の当該支持部材１に上下方向から支持される複数の物品１０と、複数の物品１０を上下方向から支持した複数対の当該支持部材１を収容する包装箱４１とを備える。また、当該包装体５１は、包装箱４１の蓋部及び底部の内面に配設される一対の支持パッド３１を備える。
【００３５】
当該包装体５１は、包装箱４１の底部の上面に１枚の支持パッド３１を配設し、この支持パッドの上面側に、複数の物品１０を一対の当該支持部材１で上下方向から支持した図７の複数対の支持ユニット５２を配設し、この支持ユニット５２の上面と包装箱４１の蓋部との間に１枚の支持パッド３１を配設して形成される。複数の物品１０の周面は、各支持ユニット５２における一対の外側支持パネル２の外面よりも内側に保持されている。これにより、当該包装体５１は、支持ユニット５２同士を直接積層しても、下側の支持ユニット５２に保持される複数の物品１０と上側の支持ユニット５２に保持される複数の物品１０とが上下方向に間隔を空けて保持されている。
【００３６】
＜利点＞
当該包装資材は、包装箱４１に収容される複数対の当該支持部材１を備えるので、各対の当該支持部材１によって物品１０を上下から保護することができる。そのため、当該包装資材は、物品１０を安定的に保持することができる。
【００３７】
当該包装体５１は、複数の物品１０を各対の当該支持部材１によって上下方向から支持することができるので、物品を安定的に保持することができる。
【００３８】
［その他の実施形態］
なお、本考案に係る支持部材、包装資材及び包装体は、上記態様の他、種々の変更、改良を施した態様で実施することができる。例えば外側支持パネル及び内側支持パネルは、必ずしも略同一形状である必要はない。また、当該包装資材及び当該包装体は、必ずしも一対の支持パッドを備える必要はない。さらに、当該包装資材における箱用シートの具体的形状及び当該包装体における包装箱の具体的形状は特に限定されるものではない。
【産業上の利用可能性】
【００３９】
以上のように、本考案の支持部材、包装資材及び包装体は、物品を安定的に保持することができるので、物品の運搬用、保管用等に好適に用いられる。
【符号の説明】
【００４０】
１  支持部材
２  外側支持パネル
２ａ  第２開口
３  内側支持パネル
３ａ  第１開口
４  連接部
１０  物品
１１  箱用シート
１２  第１長さ面パネル
１３  第２長さ面パネル
１４  第１幅面パネル
１５  第２幅面パネル
１６，１７  上側外フラップ
１８，１９  上側内フラップ
２０，２１  下側外フラップ
２２，２３  下側内フラップ
２４  糊代部
３１  支持パッド
４１  包装箱
５１  包装体
５２  支持ユニット
Ｐ，Ｑ  内側端縁
Ｘ  仮想平面
α  傾斜角度
【図１】
0003210948.tif 000003
【図２】
0003210948.tif 000004
【図３】
0003210948.tif 000005
【図４】
0003210948.tif 000006
【図５】
0003210948.tif 000007
【図６】
0003210948.tif 000008
【図７】
0003210948.tif 000009